(57)【要約】【課題】向きが変化しても常に一定の条件で認識処理を行えるようにして、複雑な画像処理アルゴリズムを用いることなく常に正確なコード認識を可能とする。【解決手段】２次元バーコード２１Ｂを、始点セルＣ１１を起点として白及び黒の複数の円形状のセルＣ１２〜Ｃ３１を、同心円を構成する複数の円周に順にリング状に配列し、この白及び黒のセルＣ１２〜Ｃ３１の配列順序の組み合わせによりコードを表現したものを用意している。そして、この２次元バーコード２１Ｂをカード２１〜２ｉの識別エリアに表示して、ＫＪ法を使用した意見集約プロセスを記録するようにしたものである。【選択図】      図３
2006079286.tif 000002
【特許請求の範囲】
【請求項１】
濃度の異なる複数の円形状セルをリング状に配列した複数のセル群を同心円状に配列し、前記配列される複数のセル群をそれぞれ構成する円形状セルの濃度の組み合わせによりコードを表すことを特徴とするバーコード。
【請求項２】
前記セル群を構成する複数の円形状セルの一つを他の円形状セルとは異なる表示パターンに設定し、当該セルをコードの始点を表す情報とすることを特徴とする請求項１記載のバーコード。
【請求項３】
線幅の異なる複数のリング状セルを同心円状に配列し、前記配列される複数のリング状セルの線幅の組み合わせによりコードを表すことを特徴とするバーコード。
【請求項４】
線幅の異なる複数のリング状セルを異なるスペースを隔てて同心円状に配列し、前記配列される複数のリング状セルの線幅とスペースとの組み合わせによりコードを表すことを特徴とする請求項３記載のバーコード。
【請求項５】
濃度の異なる複数の円形状セルをリング状に配列した複数のセル群を同心円状に配列し、前記配列される複数のセル群をそれぞれ構成する円形状セルの濃度の組み合わせによりコードを表すバーコードを表示してなるバーコード表示媒体。
【請求項６】
前記セル群を構成する複数の円形状セルの一つを他の円形状セルとは異なる表示パターンに設定し、当該セルをコードの始点を表す情報とすることを特徴とする請求項５記載のバーコード表示媒体。
【請求項７】
線幅の異なる複数のリング状セルを同心円状に配列し、前記配列される複数のリング状セルの線幅の組み合わせによりコードを表すバーコードを表示してなるバーコード表示媒体。
【請求項８】
線幅の異なる複数のリング状セルを異なるスペースを隔てて同心円状に配列し、前記配列される複数のリング状セルの線幅とスペースとの組み合わせによりコードを表すバーコードを表示してなる請求項７記載のバーコード表示媒体。
【請求項９】
濃度の異なる複数のセルを二次元に配列し、前記配列される複数のセルの濃度の組み合わせによりコードを表すバーコードで使用される前記セルであって、
前記セルは、円形状により形成されることを特徴とするバーコードのセル。
【発明の詳細な説明】
【技術分野】
【０００１】
この発明は、例えば意見集約法を採用した会議やワークショップにおいて、意見が記載されたカードを識別するために使用されるバーコードとその表示媒体に関する。
【背景技術】
【０００２】
会議やワークショップの場において利用される意見集約法の１つとして、ＫＪ法が知られている。ＫＪ法は、ブレーンストーミング等で出されたアイディアや意見、又は各種調査の現場から収集された雑多な情報を１つずつ小さなカード（紙切れ）に書き込み、それらのカードの中から内容の近いもの同士を集めてグループ化してゆく作業の中で、テーマの解決に役立つヒントやひらめきを生み出していこうとするものである。
【０００３】
ＫＪ法の基本的な手順を以下に示す。はじめに、参加者は発想したアイディアや収集した情報などのデータを１つずつ１枚の小さなカードに書き込んでいく。次に、作成したカード群を机などに並べて、カードに書かれたデータが同類の内容であるカード同士を集めグループを作成する。また、作成した各グループには、その内容を要約した表札をつける。カードのグループ編成は、まず、小グループを作り、次に小グループを同士で中グループを、さらに中グループ同士で大グループを作成していく。このようにＫＪ法を使用すると、カードのグループ編成を繰り返しながら様々な意見を集約して、テーマ解決に役立つヒントを導き出すことが可能である（例えば、非特許文献１又は非特許文献２を参照。）。
【０００４】
ところで、最近上記ＫＪ法を使用した会議やワークショップにおいて、意見集約のプロセスを記録し、この記録された情報を後にバーチャル会議等に再利用する試みがなされている。プロセスの記録手法としては、例えばビデオカメラを使用してカードのグループ化作業の過程を撮像し、この撮像された画像データから各カードの移動履歴を検出し記録するものが使用される。その際、各カードにはカードを識別するためのバーコードを印刷しておき、撮像された画像データに対し画像処理を行って上記バーコードを認識することにより各カードの移動履歴を検出するようにしている。なお、バーコードとしては、汎用の１次元バーコードや、水平及び垂直方向に情報を持つＱＲコード等の２次元バーコードが使用される（バーコード自体の技術については、例えば非特許文献３又は非特許文献４を参照。）
【０００５】
【非特許文献１】独立行政法人  雇用・能力開発機構  生涯職業能力開発促進センター、“KJ法”、［online］、「Ability Garden (生涯職業能力開発促進センター・ホームページ)」、［平成１６年8月3１日検索］、インターネット＜ＵＲＬ：http://nokai.ab-garden.ehdo.go.jp/giho/43.html＞
【０００６】
【非特許文献２】川喜田二郎著、「ＫＪ法−渾沌をして語らしめる」、中央公論社、１９８６年、ｐ．１２１−１６９
【０００７】
【非特許文献３】株式会社キーエンス、“バーコードホットライン”、［online］、「２次元バーコードの基礎知識−バーコードと２次元バーコード（ＱＲコード）の違い」、［平成１６年8月３１日検索］、インターネット＜ＵＲＬ：http://www.keyence.co.jp/barcode/2jigenbasic/chishiki2.html＞
【０００８】
【非特許文献４】株式会社キーエンス、“バーコードホットライン”、［online］、「バーコード基礎知識−バーコードのしくみ」、［平成１６年8月３１日検索］、インターネット＜ＵＲＬ：http://www.keyence.co.jp/barcode/basic/chishiki1.html＞
【発明の開示】
【発明が解決しようとする課題】
【０００９】
ところが、上記ＫＪ法を使用した会議やワークショップにおいて、机又は壁に配置される各カードの向きは区々であり、しかもこの向きはカードが移動されるごとに変化する。このため、既存のバーコードを使用した従来のシステムでは、カードの向きによってはバーコードを正しく認識できなくなるおそれがある。また、正確に認識するために、例えばカードの向きに応じて画像データに対し傾き補正を行った上でバーコードの認識処理を行うことも考えられるが、このようにするとバーコードの認識処理に複雑なアルゴリズムと多くの処理時間を必要とするという別の問題を生じる。
【００１０】
この発明は、上記事情に着目してなされたもので、その目的とするところは、向きが変化しても常に一定の条件で認識処理を行えるようにして、複雑な画像処理アルゴリズムを用いることなく常に正確なコード認識を可能とし、特に意見集約プロセスの記録過程に使用する場合に好適なバーコードとそのセル及びバーコード表示媒体を提供することにある。
【課題を解決するための手段】
【００１１】
上記目的を達成するために第１の発明に係わるバーコード及びバーコード表示媒体は、濃度の異なる複数の円形状セルをリング状に配列した複数のセル群を同心円状に配列し、前記配列される複数のセル群をそれぞれ構成する円形状セルの濃度の組み合わせによりコードを表すように構成したものである。
【００１２】
このように構成することにより、バーコードを含む画像データから画像処理によりバーコードを認識する場合において、バーコードの向きが任意に回転して配置されていても、画像データに対し傾き補正を行うことなくバーコードを認識することが可能となる。このため、バーコードの認識処理に複雑なアルゴリズムを用いることなく、簡単かつ短時間にバーコードを認識できる。
【００１３】
また、上記第１の発明は次のような構成を備えることも特徴とする。  
上記セル群を構成する複数の円形状セルの一つを他の円形状セルとは異なる表示パターンに設定し、当該セルをコードの始点を表すようにする。  
このようにすると、コードの始点を明確に表すことができるため、バーコードの示す情報を正確に解読することが可能となる。
【００１４】
一方、第２の発明に係わるバーコード及びバーコード表示媒体は、線幅の異なる複数のリング状セルを一定又は異なるスペースを隔てて同心円状に配列し、前記配列される複数のリング状セルの線幅の組み合わせ、或いは配列される複数のリング状セルの線幅とスペースとの組み合わせによりコードを表すように構成したものである。
【００１５】
したがってこの発明においても、第１の発明と同様に、バーコードを含む画像データから画像処理によりバーコードを認識する場合において、バーコードの向きが任意に回転して配置されていても、画像データに対し傾き補正を行うことなくバーコードを認識することができ、これによりバーコードの認識処理に複雑なアルゴリズムを用いることなく、簡単かつ短時間にバーコードを認識することが可能となる。  
また、この発明のバーコードは回転対称性を有するため、一部が欠落した場合であってもコードを認識することが可能である。
【００１６】
第３の発明は、濃度の異なる複数のセルを二次元に配列し、前記配列される複数のセルの濃度の組み合わせによりコードを表すバーコードで使用される上記セルを円形状に形成することを特徴とする。  
このように構成することにより、バーコードの向きが任意に回転して配置されていても、セル自体の形状が変化しないため、簡易な処理により高い認識精度が得られる。
【発明の効果】
【００１７】
したがって、この発明によれば、向きが変化しても常に一定の条件で認識処理を行えるようにして、複雑な画像処理アルゴリズムを用いることなく常に正確なコード認識を可能とし、特に意見集約プロセスの記録過程に使用する場合に好適なバーコードとそのセル及びバーコード表示媒体を提供することができる。
【発明を実施するための最良の形態】
【００１８】
（第１の実施形態）  
図１は、この発明に係わるバーコードを採用した会議支援システムの第１の実施形態を示す概略構成図である。このシステムは、サーバ装置ＳＶ、ボード撮像装置ＶＩ、カード撮像装置ＣＡ、通信ネットワークＮＷ、及びユーザ端末ＰＣ１〜ＰＣｎを備える。サーバ装置ＳＶは、会議情報管理装置としての機能を備えたもので、上記ボード撮像装置ＶＩにより撮像された映像データをケーブルを介して取り込む機能と、上記カード撮像装置ＣＡにより撮像された画像データをケーブルを介して取り込む機能とを備える。
【００１９】
ユーザ端末ＰＣ１〜ＰＣｎはパーソナル・コンピュータにより構成され、表示装置とキーボードやマウスなどの入力装置を備えている。また、ユーザ端末ＰＣ１〜ＰＣｎは、インターネットやＬＡＮ（Local Area Network）などにより構成される通信ネットワークＮＷを介して上記サーバ装置ＳＶと接続される。これらのユーザ端末ＰＣ１〜ＰＣｎは、この通信ネットワークＮＷを介してサーバ装置ＳＶと通信を行い、会議の閲覧者たるユーザがバーチャルな場で配信された会議情報を閲覧するために使用する。
【００２０】
図２は、図１に示すシステムにおける会議情報の記録の様子を示す図である。同図において、ボード１は、机上または壁などに備えられ、このボード１上においてＫＪ法等による意見集約のプロセスが実行される。このプロセスは、例えば意見を記入したカード２１〜２ｉをボード１上に配置し、これらのカード２１〜２ｉを参加者がボード１上で移動させて、記入された意見の近いもの同士でグループを作成することにより行われる。ボード１は、市販のホワイトボードや模造紙等でも良いし、会場の壁や机をそのまま利用しても構わない。
【００２１】
カード２１〜２ｉは、図３に示すように意見記入エリア２１Ａと、カード識別エリアとを備える。意見記入エリア２１Ａは、会議参加者がペンなどを用いて意見を記載する領域である。カード識別エリアには２次元バーコード２１Ｂが表示される。２次元バーコード２１Ｂは、カードごとに固有の個別識別情報（以下、カードＩＤと呼称する）を含み、カードに予め記載される。また、カード２１〜２ｉは、ペンなどの筆記具を用いて意見が記入できるものであれば形状及び材質には制限はなく、例えば市販されている粘着剤付きの付箋紙などが利用できる。
【００２２】
ボード撮像装置ＶＩは例えば動画の撮像が可能なビデオカメラからなり、意見集約が行われるボード１全体を時間経過にしたがって撮像する。そして、この撮像により得られるボード映像データとディジタル音声データを、例えばＤＶケーブルなどを介して接続されるサーバ装置ＳＶへ入力する。
【００２３】
カード撮像装置ＣＡは例えばディジタルスチルカメラにより構成され、カード２１〜２ｉの意見記入エリア２１Ａ及びカード識別エリアを一枚ずつ撮像する。そして、この撮像により得られたカード画像データを、例えばＵＳＢケーブルなどを介して接続されるサーバ装置ＳＶへ入力する。
【００２４】
サーバ装置ＳＶでは、上記入力されたボード映像データおよびカード画像データを読み出し、画像認識によりカード識別エリアに表示された２次元バーコード２１Ｂを解読する。そして、ボード映像データとカード画像データに含まれるカードＩＤを比較し、一致する場合にボード映像データ上のカードの位置を検出する。そして、検出されたカードの位置情報を移動履歴情報としてサーバ装置ＳＶが備えるメモリに記憶する。このように記憶されたカードの移動履歴情報とカード画像データから会議情報データを再構成し、ユーザ端末ＰＣ１〜ＰＣｎに対して配信するものである。
【００２５】
ところで、図３に示したカード２１のカード識別エリアに表示される２次元バーコード２１Ｂは、例えば図４に示すように各々が円形状をなすセルＣ１１〜Ｃ３１をリング状に配列した複数のセル群を同心円状に配置したものである。セルＣ１１〜Ｃ３１には、全黒又は全白のセルＣ１２〜Ｃ３１と、リング型をなすセルＣ１１とがある。このうちリング型をなすセルＣ１１はコードの始点を表す。他の全黒又は全白のセルＣ１２〜Ｃ３１は、コードを構成する最小単位（１ビット）を表す。すなわち、２次元バーコード２１Ｂは、始点セルＣ１１を基点として複数の黒及び白のセルＣ１２〜Ｃ３１を時計回り或いは反時計回りに配列したもので、この白及び黒のセルＣ１２〜Ｃ３１の配列順序の組み合わせによりコードを表現している。
【００２６】
サーバ装置ＳＶは次のように構成される。図５は、その機能構成を示すブロック図である。  
サーバ装置ＳＶは、マイクロプロセッサなどの中央処理ユニット（ＣＰＵ：Central Processing Unit）１１を備える。このＣＰＵ１１には、バス１２を介してデータメモリ１３およびプログラムメモリ１４が接続され、さらにビデオ入力インタフェース（ビデオ入力Ｉ／Ｆ）１５、カメラ入力インタフェース（カメラ入力Ｉ／Ｆ）１６、及び通信インタフェース（通信Ｉ／Ｆ）１７が接続されている。
【００２７】
ビデオ入力Ｉ／Ｆ１５は、ＣＰＵ１１制御の下、ボード撮像装置ＶＩからケーブルを介して送信されるボード映像データの受信処理を行う。カメラ入力Ｉ／Ｆ１６は、ＣＰＵ１１制御の下、カメラ撮像装置ＣＡからケーブルを介して送信されるカード画像データの受信処理を行う。通信Ｉ／Ｆ１７は、ＣＰＵ１１の制御の下、通信ネットワークＮＷを介してユーザ端末ＰＣ１〜ＰＣｎとの間で通信を行う。
【００２８】
データメモリ１３は、記憶媒体として例えばＲＡＭ又はハードディスクを使用したもので、データメモリ１３には、カード画像データベース１３ａ、カード位置データベース１３ｂ、及び映像・音声データベース１３ｃが設けられる。
カード画像データベース１３ａには、上記カメラ入力Ｉ／Ｆ１６を介してカード撮像装置ＣＡから読み込まれたカード画像データが、予めカードに記載された２次元バーコード２１Ｂにより表されるカードＩＤに対応付けて記憶される。
【００２９】
カード位置データベース１３ｂには、ボード１上のカード２１〜２ｉの状態変化、すなわち貼付、移動及び剥除などが行われた際のカードの位置情報が記憶される。
映像・音声データベース１３ｃには、ボード撮像装置ＶＩからビデオ入力Ｉ／Ｆ１５を介して取り込まれたボード映像が記憶される。
【００３０】
プログラムメモリ１４には、この発明に係わる制御プログラムとして、カードＩＤ認識プログラム１４ａ、カード画像登録プログラム１４ｂ、カード位置検出プログラム１４ｃカード位置登録プログラム１４ｄ、及び再生制御プログラム１４ｅが格納される。
【００３１】
カードＩＤ認識プログラム１４ａは、撮像されたカード画像及びボード映像の各フレームから、カードに表示された２次元バーコード２１Ｂを認識し、この認識された２次元バーコードからカードＩＤを特定する。
カード画像登録プログラム１４ｂは、カード撮像装置ＣＡからカメラ入力Ｉ／Ｆ１６を介して取り込んだカード画像を、上記カードＩＤ認識プログラム１４ａにより認識されたカードＩＤに対応付けてカード画像データベース１３ａに記憶させる。
【００３２】
カード位置検出プログラム１４ｃは、ボード撮像装置ＶＩからビデオ入力Ｉ／Ｆ１５を介して取り込んだボード映像のフレームごとに、当該フレームに含まれるカード画像の２次元バーコードを認識する。そして、この認識された２次元バーコードの位置に基づいてボード映像上におけるカード画像の位置を検出する。
【００３３】
カード位置登録プログラム１４ｄは、ボード映像のフレームごとに、上記カード位置検出プログラム１４ｃにより検出されたカード画像の位置を、１つ前のフレームにおいて検出されたカード画像の位置と比較する。そして、位置変化が検出されたカード画像についてその変化履歴情報を生成してカード位置データベース１３ｂに記憶する。
【００３４】
再生制御プログラム１４ｅは、ユーザ端末ＰＣ１〜ＰＣｎから通信ネットワークＮＷを介して送信される再生制御コマンドに応じて閲覧画面を作成して配信する。再生制御コマンドには、再生、停止、送り及び戻しを指定するコマンドも含まれる。また、会議時間をある時間単位で複数のチャプタに分割し、これらのチャプタごとに再生制御を行うチャプタ再生機能も備える。
【００３５】
さて、以上のように構成されたサーバ装置ＳＶにおけるカードＩＤの認識動作について説明する。  
サーバ装置ＳＶのＣＰＵ１１は、カードＩＤ認識プログラム１４ａを実行することにより、カード画像及びボード映像の各フレームに含まれるカードＩＤの認識を行う。ここでは、ボード映像の各フレームからカードＩＤの認識を行う動作について説明する。ボード映像には、いくつかのカード画像が含まれており、これらのカード画像に含まれる２次元バーコード２１Ｂをそれぞれ認識することで、各ボード上に配置された各カードを特定する。
【００３６】
ところで、カード２１〜２ｉは、参加者がボード１に任意に配置するものであるため、配置されたそれぞれのカード２１〜２ｉの傾きが一定になるとは限らない。しかし、この実施形態に係わる２次元バーコード２１Ｂであれば、各セルＣ１１〜Ｃ３１が同心円状に配置されているため、２次元バーコード２１Ｂが回転してもセルＣ１１〜Ｃ３１は中心セルＣ３１を中心とする同心円の円周上に存在する。また、各セルＣ１１〜Ｃ３１が円形状で形成されているため、２次元バーコード２１Ｂの向きが回転して配置されていても、セル自体の形状が変化しない。このため、ボード映像の各フレームから各カード２１〜２ｉの２次元バーコード２１Ｂを認識する際に、画像データの傾きを補正するといった処理が不要となる。
【００３７】
ちなみに、カードに例えば図７に示すような既存の２次元バーコード２１Ｄを表示した場合には、カードが反時計回りに４５°回転すると、それに応じて画像データについても反時計回りに４５°回転させる傾き補正処理を行わなければ、２次元バーコード２１Ｄを正確に認識することができない。
【００３８】
以上述べたように第１の実施形態では、２次元バーコード２１Ｂを、始点セルＣ１１を起点として白及び黒の複数の円形状のセルＣ１２〜Ｃ３１を、同心円を構成する複数の円周に順にリング状に配列し、この白及び黒のセルＣ１２〜Ｃ３１の配列順序の組み合わせによりコードを表現したものを用意している。そして、この２次元バーコード２１Ｂをカード２１〜２ｉの識別エリアに表示して、ＫＪ法を使用した意見集約プロセスを記録するようにしている。
【００３９】
したがって、第１の実施形態によれば、意見集約プロセスの記録過程において、ボード１上に配置されたカード２１〜２ｉの向きが回転しても、撮像されたボード映像データを傾き補正することなく上記カード２１〜２ｉに表示された２次元バーコード２１Ｂを認識することが可能となる。したがって、傾き補正用の画像処理アルゴリズムを不要にして、安価で処理手順の簡単な２次元バーコード認識プログラムを使用することができ、また短時間にかつ正確に２次元バーコード２１Ｂを認識することが可能となる。
【００４０】
また、カード２１〜２ｉに対する２次元バーコード２１Ｂの印刷又は貼付作業を、カードに対する２次元バーコード２１Ｂの回転に気を配ることなく行え、これによりカード２１〜２ｉの作成に要する手間と時間を低減できる利点もある。さらに、意見集約過程において、ボード１上におけるカード２１〜２ｉの配置向きに注意を払う必要もなく、この結果意見集約作業の能率を高めることができる。
【００４１】
（第２の実施形態）  
この発明の第２の実施形態は、１次元バーコード２１Ｃを、例えば図６に示すように、線幅の異なる複数のリング状セルを異なるスペースを隔てて同心円状に配列し、この配列された複数のリング状セルの線幅とスペースとの組み合わせによりコードを表現するように構成したものである。
【００４２】
したがって第２の実施形態によれば、カードに表示された１次元バーコード２１Ｃは回転対称であるため、意見集約過程においてカードの向きが回転しても、当該カードを撮像した画像データから、既存の１次元バーコード認識アルゴリズムをそのまま使用して正確に１次元バーコード２１Ｃを認識することが可能となる。また、回転対称性を有する１次元バーコードであるため、たとえバーコードの左右の半分又は上下の半分が消去又は汚れていたとしても、コードを認識することができる。
【００４３】
ちなみに、カードに例えば図８に示すような既存の１次元バーコード２１Ｅを表示した場合には、カードが時計回りに４５°回転すると、それに応じて画像データについても時計回りに４５°回転させる傾き補正処理を行わなければ、１次元バーコード２１Ｅを正確に認識することができない。
【００４４】
（その他の実施形態）  
なお、この発明は上記各実施形態に限定されるものではない。例えば、前記第１の実施形態では、中心セルＣ３１をデータセルとして用いたが、中心セルＣ３１を他のデータセル及び始点セルとは異なる表示パターンとしてコードの終点を表すセルとして使用することで、２次元バーコード２１Ｂが中心セルＣ３１と始点セルＣ１１を半径とする円周上に存在することが容易に認識できるようになる。
【００４５】
さらに、２次元バーコードを構成する円形状セルの数、これらのセルが配列される同心円の数、１次元バーコードを構成する線状セルの数、バーコードを表示するための表示媒体の種類や材質、形状、この発明のバーコードの用途等についても、この発明の要旨を逸脱しない範囲で種々変形して実施できる。
【００４６】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合わせにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００４７】
【図１】この発明の第１の実施形態に係わるバーコードを採用した会議支援システムの概略構成図。
【図２】図１に示すシステムにおける会議情報の記録の様子を示す図。
【図３】図２に示すカードの構成を示す図。
【図４】図３に示したカードに表示されるバーコードの構成を拡大して示す図。
【図５】図１に示すシステムにおけるサーバ装置の機能構成を示すブロック図。
【図６】この発明の第２の実施形態に係わるバーコードの構成を示す図。
【図７】既存の２次元バーコードが回転して表示された様子を示す図。
【図８】既存の１次元バーコードの回転して表示された様子を示す図。
【符号の説明】
【００４８】
ＳＶ…サーバ装置、ＶＩ…ボード撮像装置、ＣＡ…カード撮像装置、通信ネットワーク…ＮＷ、ＰＣ１〜ＰＣｎ…ユーザ端末、１…ボード、２１〜２ｉ…カード、２１Ａ…記入エリア、２１Ｂ…２次元バーコード、Ｃ１１〜Ｃ３１…セル、１１…ＣＰＵ、１２…バス、１３…データメモリ、１３ａ…カード画像データベース、１３ｂ…カード位置データベース、１３ｃ…映像・音声データベース、１４…プログラムメモリ、１４ａ…カードＩＤ認識プログラム、１４ｂ…カード画像登録プログラム、１４ｃ…カード位置検出プログラム、１４ｄ…カード位置登録プログラム、１４ｅ…再生制御プログラム、１５…ビデオ入力Ｉ／Ｆ、１６…カメラ入力Ｉ／Ｆ、１７…通信Ｉ／Ｆ、２１Ｃ…１次元バーコード。
【図１】
2006079286.tif 000003
【図２】
2006079286.tif 000004
【図３】
2006079286.tif 000005
【図４】
2006079286.tif 000006
【図５】
2006079286.tif 000007
【図６】
2006079286.tif 000008
【図７】
2006079286.tif 000009
【図８】
2006079286.tif 000010